(57)【要約】【課題】定電圧駆動の定着装置において、ヒータ印加電圧とヒータ電流から駆動状態を検知して回路の異常を検出し、信頼性の高い定着ローラの温度制御を提供することを目的とする。【解決手段】ヒータ印加電圧の切替えに応じてヒータ電流の異常判断の閾値を変更し、エラー判断の精度を向上する。【選択図】        図１
2004347840.tif 000002
【特許請求の範囲】
【請求項１】
表面にトナー像を担持した転写材をそのニップ部で担時することにより定着するための熱定着手段と加熱手段と、電源手段からの通電により前記熱定着手段を加熱するための過熱手段と、前記熱定着手段の表面温度を検出する温度検知手段と、前記温度検知手段の検知情報に基づいて前記電源手段を制御する制御手段を有する定着装置及び前記定着装置を有する画像形成装置において、
前記加熱手段は複数の加熱源を有し、前記複数の加熱源へ電源を供給する電源手段、また、前記制御手段は、前記加熱源に対して印加される電圧を変更する手段を有し、前記加熱源へ供給される電流量を検知する手段を設け、前記加熱源への印加電圧と前記電流量から前記電源手段及び加熱源の異常を判断する手段を備えることを特徴とする画像形成装置。
【請求項２】
前記複数の加熱源は発熱分布の異なることを特徴とする請求項１の画像形成装置。
【請求項３】
前記複数の加熱源は発熱量の異なることを特徴とする請求項１の画像形成装置。
【請求項４】
前記複数の加熱源は発熱分布および発熱量の異なることを特徴とする請求項１の画像形成装置。
【請求項５】
前記電源手段は印加する電圧を複数段階に一定電圧を切り替えることを特徴とする請求項１から４の画像形成装置。
【請求項６】
前記制御手段は、複数の加熱源の発熱量と電源手段により印加する電圧を複数段階の一定電圧から既定消費電流値以内となるように選択することを特徴とする請求項５の画像形成装置。
【請求項７】
表面にトナー像を担持した転写材をそのニップ部で担時することにより定着するための熱定着手段と加熱手段と、電源手段からの通電により前記熱定着手段を加熱するための過熱手段と、前記熱定着手段の表面温度を検出する温度検知手段と、前記温度検知手段の検知情報に基づいて前記電源手段を制御する制御手段を有する定着装置及び前記定着装置を有する画像形成装置において、
前記加熱手段は複数の加熱源を有し、前記複数の加熱源へ電源を供給する電源手段、また、前記制御手段は、前記複数の加熱源ごとにそれぞれ電源を印加される電圧を変更する手段を有し、前記加熱源へ供給される電流量を検知する手段を設け、前記加熱源への印加電圧と前記電流量から前記電源手段及び加熱源の異常を判断する手段を備えることを特徴とする画像形成装置。
【請求項８】
前記複数の加熱源は発熱分布の異なることを特徴とする請求項７の画像形成装置。
【請求項９】
前記複数の加熱源は発熱量の異なることを特徴とする請求項７の画像形成装置。
【請求項１０】
前記複数の加熱源は発熱分布および発熱量の異なることを特徴とする請求項７の画像形成装置。
【請求項１１】
前記電源手段は印加する電圧を複数段階に一定電圧を切り替えることを特徴とする請求項７から１０の画像形成装置。
【請求項１２】
前記制御手段は、複数の加熱源の発熱量と電源手段により印加する電圧を複数段階の一定電圧から既定消費電流値以内となるように選択することを特徴とする請求項１１の画像形成装置。
【発明の詳細な説明】
【０００１】
【発明の属する技術分野】
本発明は、例えばレーザプリンタのような画像形成装置及びその通電制御方法に関し、特にトナー像を画像形成材に定着させる定着ローラに熱エネルギを付与する為の通電制御を行う画像形成装置及びその通電回路の異常検知方法に関するものである。
【０００２】
【従来の技術】
キヤノン提案の特開平１０−１２９０３４号公報で示すように、従来、この種の装置にはレーザプリンタ、ＬＥＤプリンタ等があり、コンピュータ等の外部装置からの印字命令に従い記録紙をペーパーカセットなどの記録紙格納部より給紙し、レジストローラ等の同期搬送手段により記録紙の搬送タイミングをビデオコントローラからの画像情報送出タイミングと同期させて搬送し、画像記録を行っている。
【０００３】
図１は従来技術のレーザプリンタ１０１の構成図であり、図２はその動作を示すタイミングチャートである。これらの図面を併せて参照してレーザプリンタ１０１の動作を説明する。
【０００４】
ビデオコントローラ部２８は、ＲＤＹ信号がＴＲＵＥであることを確認するとＰＲＩＮＴ信号をＴＵＲＥとする。プリンタコントローラ２６はＰＲＩＮＴ信号がＴＵＲＥとなると、メインモータ２３、及びポリンゴンモータ１４の駆動を開始する。メインモータ２３を駆動すると感光ドラム１７、定着ローラ９及び排紙ローラ１１が回転する。この後、光量制御と一次帯電１９、現像器２０、転写帯電器２１の高圧の駆動も順次行う。
【０００５】
プリンタコントローラ２６は、ポリンゴンモータ１４の回転が定常状態になるとｔ１秒給紙ローラクラッチ２４をＯＮして給紙ローラ５を駆動し、記録紙Ｓをレジストローラ対６に向けて給紙する。そして、プリンタコントローラ２６は記録紙Ｓの先端がレジストローラ対６に到達するタイミングでＶＳＲＥＱ信号をビデオコントローラ部２８に送出すると共に給紙ローラクラッチ２４をＯＦＦし、給紙ローラ５の駆動を停止する。
【０００６】
ビデオコントローラ部２８は、画像情報のドットイメージへの展開を終えてＶＤＯ信号の出力準備が完了すると、ＶＳＲＥＱ信号がＴＵＲＥであることを確認し、ＶＳＹＮＣ信号をＴＵＲＥとし、これと同期してｔｖ秒後に１頁分の画像データとしてＶＤＯ信号の出力を開始する。
【０００７】
この時、プリンタコントローラ２６はＶＳＹＮＣ信号の立ち上がりから、ｔ３秒後にレジストローラクラッチをＯＮし、レジストローラ対６を駆動する。レジストローラ対６の駆動は、記録紙Ｓの後端がレジストローラ対６を通過するまでの時間ｔ４秒間行われる。
【０００８】
また、この間プリンタコントローラ２６は、ＨＳＹＮＣ信号をレーザ走査に同期した所定タイミングでビデオコントローラ部２８に送出すると共に、ＶＤＯ信号に基づいて感光ドラム１７上を走査するレーザ光を変調する。
【０００９】
また、更に次ページのプリントを行う場合は、ｔ５秒後に再びＰＲＩＮＴ信号をＴＵＲＥとする。その後は１頁目と同様の動作が行われる。
【００１０】
このような、プリンタコントローラ２６およびビデオコントローラ部２８の動作により記録紙Ｓは、給紙ローラ５、レジストローラ対６、画像記録部８、定着ローラ９、排紙ローラ１１へ順次搬送され画像記録がなされる。
【００１１】
上記のような、レーザプリンタに搭載されている加熱定着器内部の加熱源であるヒータを１つ乃至、複数有している。複数有する場合、幅の狭い記録紙、幅の広い記録紙を無駄なく過熱するために発熱部が異なるヒータ、または、発熱電力の異なるヒータを有し選択的に、また、同時に点灯使用している。
【００１２】
【発明が解決しようとする課題】
レーザプリンタのように、発熱部の異なるヒータ、発熱電力の異なるヒータを選択的に点灯する場合、点灯しないヒータで加熱を行う部位は加熱が行われず、温度を保持したくとも出来ないという事態を招いている。
【００１３】
キヤノン提案の特開平１１−８４９３６号公報で示しているように、ウォームアップ時間短縮の目的で定着ローラの熱容量を減らす為に、定着ローラの肉厚を薄くすると１本ヒータを用いた構成では小サイズ紙をプリントするときに非通紙域の過昇温が問題となる。
【００１４】
特に高速機においては小サイズ紙のプリントにおいて著しくプリントスピードを低下させるものである。異なる配光を持つ２本のヒータを使用するように、また、中央基準とする場合のヒータの配光分布を、ヒータ（メインヒータ）Ａは小サイズ紙をプリントするときに使用し、紙が熱を奪う中央部分に大きく配光を振り分けている。また、ヒータ（サブヒータ）Ｂは、ヒータと組み合わせて大サイズ紙をプリントするときに使用するように両端部に配光を振り分けている。
【００１５】
高速機の場合、単位時間での通紙枚数が多い為、奪われる熱量も多い。このため、ヒータの消費電力も大きくなってしまう。消費電力の範囲内で大きな電力のヒータとすると、商用電源の電力（特に電流）には上限があり、同時に点灯されるヒータの総電力の最大値も制限され、１本の電力を大きくすると同時点灯できなくなり、交互点灯となる。これにより温度リップルは増加となってしまい、定着ローラの長手方向の温度ムラとなってしまう。細かな交互点灯はノイズ発生の１因ともなる。
【００１６】
ヒータの電力を抑えることにより、温度ムラを減少させることは可能であるが、例えば小サイズ紙の連続プリント時、中央部の温度保持と同時に定着ローラの端部（非通紙部）の温度保持が課題となる。
【００１７】
また、温度保持用に別に電力の小さいヒータを設けることはコストアップを招き、装置が大きくなってしまう要因となってしまう。
【００１８】
特にプリント速度の速い機器は、定着器の温度が記録紙により、その通過部分で下がり、定着ローラの長手方向の温度差（ムラ）が生じやすい。
【００１９】
上記のような問題点を解決するために、ヒータに印加する電圧を複数段階設けることによりヒータを増やすことなく、効率良く、加熱装置を加熱する方法が挙げられる。この際に、ヒータに印加する電圧を変更することにより、ヒータに流れる電流が変わってしまう。この為、電流を検出して回路の異常を判断する場合、また、複数のヒータを有する場合、その閾値を固定では判断できなくなってしまうという課題が発生する。
【００２０】
本発明の目的は、上記のような点を鑑み、ヒータへ印加する電圧を複数段に変更、また、複数のヒータを有する場合も適正な駆動状態であることを検出する検出手段を備えた画像形成装置を提供することである。
【００２１】
【課題を解決するための手段】
上記課題を達成するために、請求項１の表面にトナー像を担持した転写材をそのニップ部で担時することにより定着するための熱定着手段と加熱手段と、電源手段からの通電により前記熱定着手段を加熱するための過熱手段と、前記熱定着手段の表面温度を検出する温度検知手段と、前記温度検知手段の検知情報に基づいて前記電源手段を制御する制御手段を有する定着装置及び前記定着装置を有する画像形成装置において、前記加熱手段は複数の加熱源を有し、前記複数の加熱源へ電源を供給する電源手段、また、前記制御手段は、前記加熱源に対して印加される電圧を変更する手段を有し、前記加熱源へ供給される電流量を検知する手段が設けられていて、前記加熱源への印加電圧と前記電流量から前記電源手段及び加熱源の異常を判断する手段を備えることを特徴とする。
【００２２】
請求項２では、加えて、前記複数の加熱源は発熱分布の異なることを特徴とする。
【００２３】
請求項３では、更に、前記複数の加熱源は発熱量の異なることを特徴とする。
【００２４】
請求項４では、前記複数の加熱源は発熱分布および発熱量の異なることを特徴とする。
【００２５】
請求項５では、更には、前記電源手段は印加する電圧を複数段階に一定電圧を切り替える手段を備えることを特徴とする。
【００２６】
請求項６では、更に、前記制御手段は、複数の加熱源の発熱量と電源手段により印加する電圧を複数段階の一定電圧から既定消費電流値以内となるように選択することを特徴とする。
【００２７】
請求項７では、表面にトナー像を担持した転写材をそのニップ部で担時することにより定着するための熱定着手段と加熱手段と、電源手段からの通電により前記熱定着手段を加熱するための過熱手段と、前記熱定着手段の表面温度を検出する温度検知手段と、前記温度検知手段の検知情報に基づいて前記電源手段を制御する制御手段を有する定着装置及び前記定着装置を有する画像形成装置において、前記加熱手段は複数の加熱源を有し、前記複数の加熱源ごとにそれぞれ電源を供給する電源手段、また、前記制御手段は、前記加熱源に対して印加される電圧を変更する手段を有し、前記加熱源へ供給される電流量を検知する手段が設けられていて、前記加熱源への印加電圧と前記電流量から前記電源手段及び加熱源の異常を判断する手段を備えることを特徴とする。
【００２８】
請求項８では、加えて、前記複数の加熱源は発熱分布の異なることを特徴とする。
【００２９】
請求項９では、更に、前記複数の加熱源は発熱量の異なることを特徴とする。請求項１０では、前記複数の加熱源は発熱分布および発熱量の異なることを特徴とする。
【００３０】
請求項１１では、更には、前記電源手段は印加する電圧を複数段階に一定電圧を切替える手段を備えることを特徴とする。
【００３１】
請求項１２では、更に、前記制御手段は、複数の加熱源の発熱量と電源手段により印加する電圧を複数段階の一定電圧から既定消費電流値以内となるように選択することを特徴とする。
【００３２】
【発明の実施の形態】
（第１の実施例）
図３は、本発明の一実施形態を示す概略回路図である。
【００３３】
商用電源の電圧をダイオードブリッジで直流電圧に変換した後、一般的に知られている降圧型のダウンチョッパーの回路でヒータへ印加する。この方式は既にキヤノン提案の特開平１０−２８８９３５号公報で説明されている。
【００３４】
図３において３０１は商用電源を整流するダイオードブリッジ整流回路、２０２は定着用ヒータＨ１、Ｈ２に印加される電圧検出するヒータ電圧検出回路である。ヒータＨ１、Ｈ２は例えばハロゲンヒータであり、定着ローラの内部にその軸方向に延在するように配設される（不図示）。２０３はヒータＨ１、Ｈ２の通電駆動制御を行う駆動制御回路であり、ＲＯＭ、ＲＡＭ内蔵のワンチップマイクロコンピュータ、タイマ等を含んでいる。
【００３５】
スイッチングＦＥＴ  Ｔｒ１は一定のデューティ比のＰＷＭ信号であるヒータイネーブル（ＨＥＮＢＬ）信号により通電駆動される。ダイオードブリッジ整流回路２０１の出力端にヒータＨ１、Ｈ２とそれぞれ直列接続されたトライアックＴｒ２、Ｔｒ３はそれぞれのヒューザードライブ（ＦＳＲＤ１、ＦＳＲＤ２）信号により通電駆動される。トライアックＴｒ２がオンしていると、整流された電圧がチョークＬを介して定着ヒータＨ１に印加される。印加される電圧は、入力される電源電圧に依ることなく一定の電圧である。この印加される電圧を、ヒータ電圧検出回路２０２で検出し、ヒータモニタ（ＨＭＯＮ）信号が出力される。駆動制御回路２０３はＨＭＯＮ信号を読み取り、検出した電圧に応じてスイッチングＦＥＴ  Ｔｒ１のゲートに印加するＨＥＮＢＬ信号のオンデューティーを可変制御することにより、ヒータＨ１にかかる電圧を一定にすることが出来る。ヒータＨ２についても同様である。
【００３６】
駆動制御回路２０３からヒータ電圧検出回路２０２への制御信号（ＶＳＥＬ）はヒータへ印加させる電圧を切替える信号である。
【００３７】
ヒータ電圧検出回路部の１例である回路は図４である。抵抗Ｒ４１とスイッチＳＷ４１を設けたことにより、シャントレギュレータＩＣ４２で生成する基準電圧Ｖｂと比較を行う出力電圧の電圧Ｖｏｕｔを出力電圧の分圧比を変える事により可能とした。スイッチＳＷ４１は駆動制御回路２０３からのＶＳＥＬ信号により制御され、ヒータへの印加電圧Ｖｏｕｔは切替えられる。
【００３８】
オペアンプＩＣ４１の“＋”入力へは、スイッチＳＷ４１が開の状態の場合の電圧Ｖｉｎ１は
Ｖｉｎ１＝（Ｒ４１＋Ｒ４２）／（Ｒ４１＋Ｒ４２＋Ｒ４３）ｘＶｏｕｔ１
であり、スイッチＳＷ４１が閉の状態の電圧Ｖｉｎ２は
Ｖｉｎ２＝Ｒ４２／（Ｒ４２＋Ｒ４３）ｘＶｏｕｔ２
これらの電圧Ｖｉｎ１、Ｖｉｎ２は共にオペアンプＩＣ４１の“−”入力へ入力される基準電圧Ｖｂと比較され、ほぼＶｂと同じになるようにスイッチングＦＥＴ  Ｔｒ１のＯＮ／ＯＦＦ制御が行われる。
【００３９】
このため、Ｖｉｎ１≒Ｖｉｎ２≒Ｖｂとなる。
【００４０】
従って、
Ｖｏｕｔ２／Ｖｏｕｔ１＝（Ｒ４１＋Ｒ４２）ｘ（Ｒ４２＋Ｒ４３）／（（Ｒ４１＋Ｒ４２＋Ｒ４３）ｘＲ４２）
となり、スイッチＳＷ４１を開閉することにより、出力電圧Ｖｏｕｔを変化することが可能となる。
【００４１】
また、ハロゲンヒータの電力（Ｗ１Ｈ１，Ｗ２Ｈ１）と印加電圧（Ｖｏｕｔ２，Ｖｏｕｔ１）の関係は印加電圧比の１．５４乗の関係
Ｗ１Ｈ１／Ｗ２Ｈ１＝（Ｖｏｕｔ２／Ｖｏｕｔ１）１．５４（Ｗ１Ｈ１＞Ｗ２Ｈ１，Ｖｏｕｔ２＞Ｖｏｕｔ１）
に近似されていることは知られている。
【００４２】
そこで設定したい電力値となるように抵抗Ｒ４２，Ｒ４３に対して抵抗Ｒ４１の値を設定し、スイッチを切替え出力電圧を変えることにより、例えば、ハロゲンヒータの出力を１ｋＷ、５００Ｗとするように設定することが可能となる。
【００４３】
ヒータＨ１が長手方向の中央部分を集中的に加熱するための配光、ヒータＨ２が両端部を集中的に加熱するように配光分布を設けたハロゲンヒータとすると、商用電源１００Ｖ（日本）の一般の最大電流１５Ａを越えることがない条件として、最大消費電力は１ｋＷ以内での点灯とすると、ヒータの点灯モードを図５（Ａ）〜（Ｅ）のように５モードの設定が行うことが可能となる。
【００４４】
ヒータへの印加電圧を変えない場合では、点灯モードは（Ａ），（Ｂ）の組み合わせ、若しくは（Ｃ）〜（Ｅ）の組み合わせ設定であり、（Ａ）、（Ｂ）の組み合わせではリップルが大きい、（Ｃ）〜（Ｅ）ではヒータ１つでの最大電力が少ない点に比べ、本発明では点灯モードが多く、そのため、きめ細かい定着ローラの加熱が可能となる。
【００４５】
上記のような点灯の際、図６で示す電流検出回路２０５はヒータへ流れる電流に比例してカレントトランス２０４の出力は抵抗６１の両端電圧となって出力される。この電圧はオペアンプＩＣ６１を介してＣＰＵ（不図示）のＡＤ入力に入力されデジタル値としてＶｃｔと所定値であるＶｔｈ１，Ｖｔｈ２（Ｖｔｈ１＜Ｖｔｈ２）と比較を行う。この電流値のピーク値に相当する電圧Ｖｃｔが、図７で示すように
Ｖｔｈ１＜Ｖｃｔ＜Ｖｔｈ２  （Ｖｔｈ１＜Ｖｔｈ２、：Ｖｔｈ１，Ｖｔｈ２は所定値）
となっているか、
Ｖｔｈ３＜Ｖｃｔ＜Ｖｔｈ４  （Ｖｔｈ３＜Ｖｔｈ４，Ｖｔｈ２＜Ｖｔｈ３，：Ｖｔｈ３，Ｖｔｈ４は所定値）
となっているか、どちらでもないかの判断を行う。
【００４６】
ヒータ駆動電圧Ｖｏｕｔ１でヒータＨ１のみ駆動の設定（５００Ｗ）では、Ｖｔｈ１＜Ｖｃｔ＜Ｖｔｈ２  が正常の場合であるがＶｔｈ３＜Ｖｃｔ＜Ｖｔｈ４となっている場合、ヒータ駆動電圧がＶｏｕｔ２となっている（１０００Ｗ）か、またはヒータＨ１のみの点灯ではなくヒータＨ２も点灯されていることが考えられる。またそれ以外の場合は駆動回路（定電圧駆動部）の異常と判断可能である。上記と同様にヒータＨ２駆動の場合も検知可能であり、また、駆動電圧がＶｏｕｔ２設定であるにも関わらずＶｏｕｔ２ではなくＶｏｕｔ１になっている場合も検出可能である。
【００４７】
更には、商用電源１００Ｖ地域用のヒータと２００Ｖ地域用のヒータが誤接続された場合も検出可能である。
【００４８】
正常な駆動状態でない状態で定着装置の温度制御を行った場合、定着ローラの温度リップルの増大、ローラの温度ムラの増大が考えられる。また、その結果、材質の劣化が懸念され、定着ローラの寿命低下などの信頼性の低下も考えられる。
【００４９】
上記検出方法、つまり、駆動電圧によって駆動電流の検出、異常判断の閾値を変更することにより、加熱源の駆動状態の異常を検知することで、信頼性の高い定着装置の駆動制御の提供と定着装置の温度異常や温度ムラの発生を減少させることが可能とし、定着ローラへの過熱、および温度保持の効率を上げることが出来る。記録紙の画像の定着品質のアップ、画像品質のアップの効果も上げることが出来る。
【００５０】
（第２の実施例）
本発明の第２の実施形態は、図８に示す。
【００５１】
図８において２０１は商用電源を整流するダイオードブリッジ整流回路、２０２，２０２ｂは定着用ヒータＨ１、Ｈ２に印加される電圧検出するヒータ電圧検出回路である。ヒータＨ１、Ｈ２は例えばハロゲンヒータであり、定着ローラの内部にその軸方向に延在するように配設される（不図示）。２０３はヒータＨ１、Ｈ２の通電駆動制御を行う駆動制御回路であり、ＲＯＭ、ＲＡＭ内蔵のワンチップマイクロコンピュータ、タイマ等を含んでいる。
【００５２】
スイッチングＦＥＴ  Ｔｒ１，Ｔｒ７は一定のデューティ比のＰＷＭ信号であるヒータイネーブル（ＨＥＮＢＬ，ＨＥＮＢＬ２）信号により通電駆動される。ダイオードブリッジ整流回路２０１の出力端にヒータＨ１、Ｈ２とそれぞれ直列接続されたトライアックＴｒ２、Ｔｒ３はそれぞれのヒューザードライブ（ＦＳＲＤ１、ＦＳＲＤ２）信号により通電駆動される。トライアックＴｒ２がオンしていると、整流された電圧がチョークＬを介して定着ヒータＨ１に印加される。印加される電圧は、入力される電源電圧に依ることなく一定の電圧である。この印加される電圧を、ヒータ電圧検出回路２０２で検出し、ヒータモニタ（ＨＭＯＮ）信号が出力される。駆動制御回路２０３はＨＭＯＮ信号を読み取り、検出した電圧に応じてスイッチングＦＥＴ  Ｔｒ１のゲートに印加するＨＥＮＢＬ信号のオンデューティーを可変制御することにより、ヒータＨ１にかかる電圧を一定にすることが出来る。ヒータＨ２についても同様で、トライアックＴｒ３がオンしていると、整流された電圧がチョークＬ２を介して定着ヒータＨ２に印加される。印加される電圧は、入力される電源電圧に依ることなく一定の電圧である。この印加される電圧を、ヒータ電圧検出回路２０２ｂで検出し、ヒータモニタ（ＨＭＯＮ２）信号が出力される。駆動制御回路２０３はＨＭＯＮ２信号を読み取り、検出した電圧に応じてスイッチングＦＥＴ  Ｔｒ７のゲートに印加するＨＥＮＢＬ２信号のオンデューティーを可変制御することにより、ヒータＨ２にかかる電圧を一定にすることが出来る。
【００５３】
駆動制御回路２０３からヒータ電圧検出回路２０２，２０２ｂへの制御信号（ＶＳＥＬ，ＶＳＥＬ２）はヒータへ印加させる電圧を切替える信号である。
【００５４】
実施例１のとの違いはヒータＨ１，Ｈ２への電圧駆動部をそれぞれ独立に設けた点である。
【００５５】
これにより、ヒータＨ１へ通電される電圧ＶｏｕｔとヒータＨ２へ通電されるＶｏｕｔｂを異なる設定とすることを可能する。
【００５６】
以上のより、ヒータＨ１，Ｈ２の電力可変を独立に設定可能となり，例えばヒータＨ１の電力変化を９００Ｗ−５００Ｗとし、ヒータＨ２の電力化変を７００Ｗ−３００Ｗとすると、商用電源１００Ｖ（日本）での最大電流１５Ａ以下で最大電力１２００Ｗ（Ｈ１：９００Ｗ，Ｈ２：３００Ｗ，またはＨ１：５００Ｗ，Ｈ２：７００Ｗ）の組み合わせも可能となりヒータＨ１，Ｈ２の駆動パターンを増やすことが可能となる。
【００５７】
このとき、カレントトランス２０４で検出されるヒータへ流れる電流はヒータＨ１駆動時に９Ａ−５Ａ，ヒータＨ２駆動時７Ａ−３Ａとその組み合わせの値となる。ヒータの駆動状態と合わせてその電流値が正常に駆動されているかをＣＰＵ（不図示）は判断する。その検出回路の１例は実施例１と同様に図８に示すように、カレントトランス２０４の出力電圧をオペアンプＩＣ６１で増幅バッファしＣＰＵ（不図示）のＡＤ入力部に入力する。
【００５８】
この電流値のピーク値に相当する電圧Ｖｃｔが、図９で示すように
Ｖｔｈ１＜Ｖｃｔ＜Ｖｔｈ２  （Ｖｔｈ１＜Ｖｔｈ２：Ｖｔｈ１，Ｖｔｈ２は所定値）
Ｖｔｈ２＜Ｖｃｔ＜Ｖｔｈ３  （Ｖｔｈ２＜Ｖｔｈ３：Ｖｔｈ３は所定値）
Ｖｔｈ３＜Ｖｃｔ＜Ｖｔｈ４  （Ｖｔｈ３＜Ｖｔｈ４：Ｖｔｈ４は所定値）
Ｖｔｈ４＜Ｖｃｔ＜Ｖｔｈ５  （Ｖｔｈ４＜Ｖｔｈ５：Ｖｔｈ５は所定値）
となっているか、該当がないかの判断を行う。
【００５９】
ＣＰＵ（不図示）はこの入力信号ＦＳＲＣＴからヒータ電流が駆動状態と適合するかどうかを判断し、駆動回路の動作状態を判断する。つまり、ヒータの駆動状態から、ヒータ電流が正常範囲であると判断する閾値を切替えて比較を行う。これにより、ヒータ単数駆動時、複数駆動時、電圧設定の異なる場合の夫々で異なる閾値とすることで、全ての駆動状態で切り分けが可能となり、より正確な回路の異常検出を可能なものと出来る。
【００６０】
本実施例では、点灯モードを多くしながら、そのため、きめ細かい定着ローラの加熱が可能としながら、信頼性の高いヒータ駆動とすることが出来る。
【００６１】
従って、定着ローラの長手方向の温度ムラを減少させることが可能とし、定着ローラへの過熱、および温度保持の効率を上げることが出来、記録紙の画像の定着品質のアップ、画像品質のアップの効果も上げることと共に信頼性アップが出来る。
【００６２】
【発明の効果】
以上説明したように、本発明によれば、レーザプリンタのように、発熱部の異なるヒータ、発熱電力の異なるヒータを選択的に点灯する場合、点灯しないヒータで加熱を行う部位は加熱が行われず、温度を保持したくとも出来ないという事態、また、温度保持用にヒータを設けることはコストアップを招き、装置が大きくなってしまうこと無しに、ヒータに印加する電圧を複数段階設け、ヒータ点灯パターン、加熱電力パターンを増やすことにより、定着ローラの長手方向の温度ムラを減少させることを可能とし、また、プリント速度の速い機器において、記録紙の通過による部分的な定着ローラの温度低下に対して一定電流以内で最大限に電力を供給可能とすると共に、ヒータの駆動電流を監視し、駆動設定と合わせて判断することにより、回路の異常やヒータの誤接続を検出することが可能となり、信頼性および安全性を上げることが可能となる。
【００６３】
更には、安定的に定着ローラへの過熱、および定着ローラ長手方向の均一的な温度保持の効率を上げることが出来る。記録紙の画像の定着品質のアップ、画像品質のアップの効果も上げることが可能となる。
【図面の簡単な説明】
【図１】レーザプリンタの構成図。
【図２】同プリンタの動作タイミングを示す図。
【図３】本発明の第１の実施例を示す概略回路図。
【図４】実施例１の電圧検出回路部を示す回路図。
【図５】ヒータ点灯パターンと電力供給パターンを示す図。
【図６】実施例１の電流検出回路部を示す図。
【図７】実施例１の電流検出電圧を示す図。
【図８】実施例２の概略回路図。
【図９】実施例２の電流検出電圧を示す図。
【符号の説明】
１  プリンタ本体
２６  プリンタコントローラ
２８  ビデオコントローラ
２０１  ダイオードブリッジ
２０２  出力検出回路
２０３  駆動制御回路
Ｈ１，Ｈ２  ヒータ
ＳＷ４１  スイッチ
Ｔｒ１，Ｔｒ７  スイッチングＦＥＴ
Ｔｒ２，Ｔｒ３  トライアック
【図１】
2004347840.tif 000003
【図２】
2004347840.tif 000004
【図３】
2004347840.tif 000005
【図４】
2004347840.tif 000006
【図５】
2004347840.tif 000007
【図６】
2004347840.tif 000008
【図７】
2004347840.tif 000009
【図８】
2004347840.tif 000010
【図９】
2004347840.tif 000011